(57)【要約】【課題】物品を収容し、内部に水素ガスを充満させることが可能な水素添加装置等を提供すること。【解決手段】水素添加装置４０は、第１開口部３１１と、内部の圧力が所定の第１圧力よりも高い場合に開く前記第１開口部３１１よりも底に近い場所に配置された逆止弁３３とを有する有底の第１容器３１と、前記第１開口部３１１に対応する形状の第２開口部３２１を有する有底の第２容器３２と、水素化マグネシウムを含む水素発生シートまたは水素化マグネシウムの入った袋を収容する収容部と、外部から前記収容部につながる１個または複数の貫通孔２１とを有し、前記第１容器３１と前記第２容器３２とが形成する空間の内部に配置された水素発生器２０とを備える。【選択図】図１
2018008841.tif 000002
【特許請求の範囲】
【請求項１】
第１開口部と、内部の圧力が所定の第１圧力よりも高い場合に開く前記第１開口部よりも底に近い場所に配置された逆止弁とを有する有底の第１容器と、
前記第１開口部に対応する形状の第２開口部を有する有底の第２容器と、
水素化マグネシウムを含む水素発生シートまたは水素化マグネシウムの入った袋を収容する収容部と、外部から前記収容部につながる１個または複数の貫通孔とを有し、前記第１容器と前記第２容器とが形成する空間の内部に配置された水素発生器と
を備える水素添加装置。
【請求項２】
前記第２容器は、内部の圧力が前記第１圧力よりも高い所定の第２圧力よりも高い場合に開く安全弁を有する請求項１に記載の水素添加装置。
【請求項３】
前記水素発生シートは、保水性を有する保水シートと、前記保水シートの第１面側に前記保水シートに重ねて配置されており、水素化マグネシウム粉が混入された水素化マグネシウムシートと、前記保水シートの第２面側に前記保水シートに重ねて配置されており、活性炭またはゼオライトを含む脱臭シートとを備え、前記脱臭シートを前記貫通孔に向けて配置される請求項１または請求項２に記載の水素添加装置。
【請求項４】
第１開口部と、内部の圧力が所定の第１圧力よりも高い場合に開く前記第１開口部よりも底に近い場所に配置された逆止弁とを有する有底筒状の第１容器と、前記第１開口部に気密に接続される第２開口部を有する有底の第２容器とを含み、飲料の入った飲料容器を収容可能な圧力容器と、
水素化マグネシウムを含む水素発生シートを収容する収容部と、外部から前記収容部につながる貫通孔と、前記飲料容器に対応する保持部とを有し、前記第１容器と前記第２容器とが形成する空間の前記第２容器側に前記貫通孔を前記第２容器側に向け、前記保持部により前記飲料容器の表面に保持された水素発生器と
を備える水素添加装置。
【請求項５】
保水性を有する保水シートと、
前記保水シートの第１面側に前記保水シートに重ねて配置されており、水素化マグネシウム粉が混入された水素化マグネシウムシートまたは水素化マグネシウムの入った袋と、
前記保水シートの第２面側に前記保水シートに重ねて配置されており、活性炭またはゼオライトを含む脱臭シートと
を備える水素発生シート。
【請求項６】
前記保水シートは紙製であり、
前記水素化マグネシウムシートは、水素化マグネシウムが配合された紙製である
請求項５に記載の水素発生シート。
【請求項７】
前記保水シートは紙製であり、
前記水素化マグネシウムの入った袋は、水素化マグネシウムの入った紙製の袋である
請求項５に記載の水素発生シート。
【請求項８】
前記脱臭シートは、活性炭またはゼオライトが配合された紙製である請求項５から請求項７のいずれか一つに記載の水素発生シート。
【請求項９】
前記脱臭シートは、活性炭またはゼオライトを固めたシートである請求項５から請求項７のいずれか一つに記載の水素発生シート。
【請求項１０】
第１開口部と、内部の圧力が所定の第１圧力よりも高い場合に開く前記第１開口部よりも底に近い場所に配置された逆止弁とを有する有底の第１容器を、前記底を下側にして配置し、
前記第１容器に前記第１開口部から物品を入れ、
水素化マグネシウムを含む水素発生シートまたは水素化マグネシウムの入った袋を、前記水素発生シートを収容する収容部と、外部から前記収容部につながる貫通孔とを有する水素発生器の前記収容部内に配置し、
前記水素発生器を前記物品の上側に配置した状態で有底の第２容器の第２開口部により前記第１開口部を塞いで、前記物品および前記水素発生器を収容した圧力容器を形成し、
前記水素発生シートから発生する水素により、前記逆止弁から前記圧力容器内の空気を排出して前記圧力容器内の水素濃度を高くする
前記物品への水素添加方法。
【請求項１１】
前記水素発生器を前記収容部内に配置する前に、前記水素発生シートまたは前記袋に水を滴下する請求項１０に記載の前記物品への水素添加方法。
【請求項１２】
前記水は酸性の水溶液である、請求項１１に記載の前記物品への水素添加方法。
【請求項１３】
前記圧力容器の内部を加熱する、請求項１０から請求項１２に記載の前記物品への水素添加方法。
【発明の詳細な説明】
【技術分野】
【０００１】
本発明は、水素添加装置、水素発生シートおよび水素添加方法に関する。
【背景技術】
【０００２】
水素分子が含まれた水である水素水には、老化、がん、その他の疾病を引き起こす物質であるヒドロキシラジカルを消去する効果があることが知られている。ヒドロキシラジカルは活性酸素の一種であり、代謝によって生物の体内で発生する。したがって、ヒドロキシラジカルの発生自体を防止することはできないが、水素水を用いてヒドロキシラジカルを消去することにより、老化防止、がん予防等の効果が得られる。
【０００３】
水素ガスの気泡をポットに入れた飲料水の内部に通すことにより、飲料水に水素を溶け込ませて水素水を作成する小型の装置が開示されている（特許文献１）。
【先行技術文献】
【特許文献】
【０００４】
【特許文献１】特開２０１４−８１９２３号公報
【発明の概要】
【発明が解決しようとする課題】
【０００５】
水素ガスは空気に比べて密度が低いため、容器の内部で発生させた水素ガスは容器の上部に溜まる。特許文献１に記載の装置では、容器の上部に設けられたガス抜き手段から水素ガスが抜けるため、発生した水素ガスが無駄になる一方、容器の下部には空気が残存してしまう。
【０００６】
本発明は、物品を収容し、内部に水素ガスを充満させることが可能な水素添加装置等を提供することを目的とする。
【課題を解決するための手段】
【０００７】
水素添加装置は、第１開口部と、内部の圧力が所定の第１圧力よりも高い場合に開く前記第１開口部よりも底に近い場所に配置された逆止弁とを有する有底の第１容器と、前記第１開口部に対応する形状の第２開口部を有する有底の第２容器と、水素化マグネシウムを含む水素発生シートまたは水素化マグネシウムの入った袋を収容する収容部と、外部から前記収容部につながる１個または複数の貫通孔とを有し、前記第１容器と前記第２容器とが形成する空間の内部に配置された水素発生器とを備える。
【発明の効果】
【０００８】
一つの側面では、物品を収容し、内部に水素ガスを充満させることが可能な水素添加装置等を提供することができる。
【図面の簡単な説明】
【０００９】
【図１】水素添加装置の断面図である。
【図２】圧力容器の外観図である。
【図３】水素発生器の断面図である。
【図４】水素発生器の分解斜視図である。
【図５】水素発生シートの構成を示す説明図である。
【図６】水素発生器の使用方法を説明する説明図である。
【図７】実施の形態２の水素添加装置の断面図である。
【図８】実施の形態３の水素添加装置の断面図である。
【図９】実施の形態４の水素添加装置の断面図である。
【図１０】実施の形態５の水素添加装置の断面図である。
【図１１】実施の形態６の水素添加装置の外観である。
【図１２】実施の形態７の水素添加装置の蓋を開けた状態の外観図である。
【発明を実施するための形態】
【００１０】
［実施の形態１］
図１は、水素添加装置４０の断面図である。図２は、圧力容器３０の外観図である。図１および図２を使用して、水素添加装置４０の構成を説明する。
【００１１】
水素添加装置４０は、圧力容器３０および水素発生器２０を有する。水素発生器２０の構成については、後述する。水素添加装置４０は、内部に物品の一例である飲料容器４１を収容可能である。本実施の形態においては、水が入った未開封のＰＥＴ（PolyEthylene Terephthalate）ボトルである飲料容器４１が、水素添加装置４０内に収容された場合を例にして説明する。飲料容器４１の側面と第１容器３１の内壁との間の隙間は、数ミリメートルであることが望ましい。
【００１２】
なお、茶、コーヒー、ジュース、乳飲料等の任意の飲料が入った飲料容器４１を使用しても良い。開封済の飲料容器４１を使用しても良い。
【００１３】
圧力容器３０は、第１容器３１と第２容器３２と封止材３５とを有する。第１容器３１および第２容器３２は有底円筒形状である。封止材３５は環状である。封止材３５は、第２容器３２に固定されている。
【００１４】
第１容器３１は、第１開口部３１１および逆止弁３３を有する。第１開口部３１１の近傍には、雄ねじ部が設けられている。逆止弁３３は、第１容器３１の側面の底側に設けられている。逆止弁３３は圧力容器３０の内部の圧力が所定の第１圧力よりも高い場合に開き、圧力容器３０の内部の気体を外部に放出する弁である。第１圧力は、たとえば外気圧に１０キロパスカルから３０キロパスカル程度の圧力を加えた圧力である。すなわち、逆止弁３３は、圧力容器３０の内部の圧力が外気圧に比べて約０．１気圧から０．３気圧高い場合に、内部の空気を放出する。
【００１５】
第２容器３２は、第２開口部３２１および安全弁３４を有する。第２開口部３２１の近傍には、雌ねじ部が設けられている。雌ねじ部は、第１容器３１の雄ねじ部と対応している。雌ねじ部と雄ねじ部とが螺合して、第１容器３１と第２容器３２との間に挟まれた封止材３５を押圧し、変形させることにより、圧力容器３０の内部が気密に封止される。第１容器３１および第２容器３２は、金属または５ミリメートル程度の厚さを有する樹脂製であり、水素ガスをほとんど透過しない
【００１６】
安全弁３４は、第２容器３２の底に設けられている。安全弁３４は、圧力容器３０の内部の圧力が所定の第２圧力よりも高い場合に開き、圧力容器３０の内部の気体を外部に放出する弁である。第２圧力は、たとえば外気圧に３００キロパスカルから５００キロパスカル程度の圧力を加えた圧力である。すなわち、安全弁３４は、圧力容器３０の内部の圧力が外気圧に比べて約３気圧から５気圧高い場合に、内部の空気を放出する弁である。第２圧力は、圧力容器３０が耐えられる最大圧力よりも低い圧力である。すなわち、安全弁３４は、内圧の過度な上昇による圧力容器３０の破損を防止する。
【００１７】
図３は、水素発生器２０の断面図である。図４は、水素発生器２０の分解斜視図である。図３および図４を使用して、水素発生器２０の構成を説明する。
【００１８】
水素発生器２０は、第３容器２３および第４容器２４を有する。第３容器２３は有底円筒形であり、底に外向きに突出する環状の保持部２６を有する。保持部２６は、図１に示すように飲料容器４１の蓋の外周を覆う形状である。第３容器２３は、開口端側の外面に段差部を有する。
【００１９】
第４容器２４は、有底円筒形であり、底に１個または複数個の貫通孔２１を有する。貫通孔２１は水素の排出口である。第４容器２４は、第３容器２３の開口側を覆う。第３容器２３と第４容器２４とは、組み合わさって内部に収容部を形成する。第３容器２３の開口側の端面と第４容器２４の底の内面との間に水素発生シート１０が保持される。なお、水素発生シート１０の代わりに、水素発生剤を収容した袋を使用しても良い。
【００２０】
図５は、水素発生シート１０の構成を示す説明図である。図５Ａは水素発生シート１０の平面図を、図５Ｂは水素発生シート１０の側面図を示す。側面図は厚さを強調して表示している。図５を使用して、水素発生シート１０の構成を説明する。
【００２１】
水素発生シート１０は、脱臭シート１１、保水シート１２および水素化マグネシウムシート１３を有する。脱臭シート１１、保水シート１２および水素化マグネシウムシート１３は、略同一形状である。
【００２２】
脱臭シート１１は、においの原因となる分子を吸着するシートである。たとえば、脱臭シート１１は、活性炭またはゼオライト等の脱臭材の繊維または粒子等を配合した紙である。脱臭シート１１は、脱臭剤の繊維または粒子等を紙の繊維に混ぜて製紙することにより製作される。脱臭シート１１は、活性炭またはゼオライト等の繊維または粉等を固めたシートであっても良い。
【００２３】
水素化マグネシウムシート１３は、水素化マグネシウムを含むシートである。たとえば、水素化マグネシウムシート１３は、水素化マグネシウムの粉を配合した紙である。水素化マグネシウムシート１３は、水素化マグネシウムの粒子等を紙の繊維に混ぜて製紙することにより製作される。水素化マグネシウムシート１３の代わりに、水素発生剤である水素化マグネシウムを入れた布製または紙製の袋を使用しても良い。
【００２４】
保水シート１２は、保水性を有するシートである。たとえば、保水シート１２は濾紙である。保水シート１２は、脱臭シート１１と水素化マグネシウムシート１３の間に挟まれている。なお、保水シート１２は、脱臭シート１１と、前述の水素化マグネシウムを入れた布製または紙製の袋との間に挟まれていても良い。
【００２５】
図６は、水素発生器２０の使用方法を説明する説明図である。図４から図６を使用して、水素発生器２０の使用方法を説明する。まず、第３容器２３の上に、水素化マグネシウムシート１３を下側にした水素発生シート１０を載せる。次に、液体容器１５に入ったクエン酸水溶液を、水素発生シート１０の上に均等に滴下する。その後、速やかに第４容器２４をかぶせる。以上により、水素発生器２０の準備が完了する。
【００２６】
クエン酸水溶液は、脱臭シート１１および保水シート１２を介して水素化マグネシウムシート１３に染み込む。水素化マグネシウムシート１３内部で水素化マグネシウムとクエン酸水溶液中の水とが（１）式の化学反応を起こして、水素分子が発生する。
【００２７】
【化１】
2018008841.tif 000003
【００２８】
また、水素化マグネシウムとクエン酸水溶液中のクエン酸とが（２）式の化学反応を起こして、水素分子が発生する。
【００２９】
【化２】
2018008841.tif 000004
【００３０】
さらに、クエン酸には（１）式の化学反応の速度を速くする作用がある。摂氏０度から常温の範囲では、クエン酸の濃度が１５パーセント程度の時に、最も化学反応が速くなる。なお、クエン酸が入っていない場合も、速度は遅いが（１）式の化学反応により水素分子は発生する。
【００３１】
水素は、水素発生器２０の内部に入っている空気に比べて比重が軽い。したがって（１）式および（２）式の化学反応により発生した水素ガスは、脱臭シート１１を介して１個または複数個の貫通孔２１から水素発生器２０の外に流れ出る。水素ガスが脱臭シート１１を通過する際に、マグネシウムに起因する金属臭が除去され、無臭の水素ガスを得ることができる。
【００３２】
クエン酸水溶液の代わりに、Ｌ−アスコルギン酸すなわちビタミンＣ、リンゴ酸、酢酸等の酸を溶解した水溶液を使用しても良い。
【００３３】
図１を使用して、水素添加装置４０の使用方法を説明する。第１容器３１を、底を下にして水平な面の上に置く。第１容器３１に飲料容器４１を入れる。飲料容器４１の蓋の上に、前述の準備が完了した水素発生シート１０を入れた水素発生器２０を置く。
【００３４】
水素発生器２０の上側から第２容器３２をかぶせる。第２容器３２の雌ねじと第１容器３１の雄ねじとを螺合して、封止材３５を変形させる。以上により、圧力容器３０の内部に飲料容器４１と水素発生器２０が収容される。
【００３５】
なお、クエン酸水溶液の滴下から、第１容器３１と第２容器３２との螺合完了までの作業を速やかに完了させることにより、発生した水素を無駄なく利用することが可能である。
【００３６】
前述の通り、水素発生器２０の上面の貫通孔２１から水素ガスが流出する。水素ガスは、圧力容器３０の上部に溜まる。発生した水素ガスにより、圧力容器３０の内圧が第１圧力を超えると、逆止弁３３が開く。逆止弁３３から、圧力容器３０に元々入っていた空気が流出する。やがて、圧力容器３０内部に水素ガスが充満する。
【００３７】
水素分子は直径０．２８ナノメートル未満と非常に小さいので、ＰＥＴ製の飲料容器４１を透過して、飲料容器４１内の水に溶け込む。その結果、飲料容器４１内の水が水素水になる。圧力容器３０内には、第１圧力が加わっているので、水素濃度が高い水素水を作成できる。圧力容器３０を封止してから約５０分から９０分後に、飲料容器４１内の水の水素濃度が飽和して、水素水が完成する。
【００３８】
本実施の形態によると、飲料容器４１を収容した圧力容器３０の内部に水素ガスを充満させることが可能な水素添加装置４０を提供することができる。圧力容器３０の内圧は大気圧よりも高いので、水素濃度の高い水素水を作成できる水素添加装置４０を提供することができる。飲料容器４１を開封せずに水素を添加するので、衛生的な水素水を作成できる水素添加装置４０を提供することができる。電源等を必要とせず、持ち運んで、任意の場所で、任意の飲料、果物、食べ物等に水素を添加できる水素添加装置４０を提供することができる。
【００３９】
水素化マグネシウムシート１３に配合する水素化マグネシウムの量および滴下するクエン酸水溶液の量を、圧力容器３０の内部に水素ガスを充満させるために必要十分な量とすることが望ましい。水素ガスの発生が終了した場合、逆止弁３３が閉じて圧力容器３０の内部に水素を閉じ込める。このようにすることにより、必要最低限の水素化マグネシウムおよびクエン酸水溶液により水素水を作成できる水素添加装置４０を提供することができる。
【００４０】
物品は、化粧水またはクリーム等が入った容器であっても良い。化粧水、クリーム等の容器は蓋を開けた状態で圧力容器３０に収容する。このようにすることにより、水素を添加した化粧水またはクリーム等を作成できる。圧力容器３０は、使用する容器よりも一回り大きい内寸であることが望ましい。このようにすることにより、水素化マグネシウムの使用量および圧力容器３０の内部を水素で満たすために要する時間を必要最低限にすることができる。さらに、物品は、たとえば調味料、漬物等の食品が入った容器であっても良い。
【００４１】
逆止弁３３は、第１容器３１の側面の中央部または第１開口部３１１近傍等に設けられていても良い。逆止弁３３は、第２容器３２に設けられていても良い。水素の発生中は、逆止弁３２を下方に向けておくことにより、圧力容器３０の内部を水素で満たすことが可能である。
【００４２】
水素発生シート１０は、三枚を一組にして袋に入れても良い。水素化マグネシウムシート１３の代わりに、前述の水素化マグネシウムを入れた布製または紙製の袋を使用する場合には、袋と、脱臭シート１１と保水シート１２とをセットにして袋に入れても良い。このようにすることにより、袋を開封して、水素発生シート１０を水素発生器２０に入れる作業を簡単に行うことができる。水素発生シート１０と、適量のクエン酸水溶液を入れた液体容器１５とをまとめて袋に入れても良い。１回の水素添加作業に使用する消耗品を一つの袋に入れておくことにより、使用しやすい水素添加装置４０を提供することができる。
【００４３】
水素発生シート１０は、三枚を一組にしてステープラ等により止めた状態でも良い。このようにすることにより、一つの袋または容器に入れた複数組の水素発生シート１０から、一組の水素発生シート１０を容易に取り出して使用することが可能である。
【００４４】
［実施の形態２］
本実施の形態は、紙パック製の飲料容器４１に適した水素添加装置４０に関する。実施の形態１と共通する部分については、説明を省略する。
【００４５】
図７は、実施の形態２の水素添加装置４０の断面図である。本実施の形態の水素発生器２０の保持部２６は、紙パック容器の上部の形状に対応する略三角溝を有する。図７に示すように、紙パック製の飲料容器４１の上部を略三角溝に挿入することにより、飲料容器４１の上に水素発生器２０を配置する。
【００４６】
紙パック容器はＰＥＴに比べて水素分子を透過しやすい。そのため、短時間で水素を添加することが可能な水素添加装置４０を提供することができる。
【００４７】
水素発生器２０の保持部２６は、交換可能であっても良い。このようにすることにより、さまざまな形状の飲料容器４１に対応可能な水素添加装置４０を提供することができる。
【００４８】
第１容器の内面は、紙パック容器の外形より一回り大きい程度の四角形でも良い。このようにすることにより、水素化マグネシウムの使用量および圧力容器３０の内部を水素で満たすために要する時間を必要最低限にすることができる。
【００４９】
［実施の形態３］
本実施の形態は、任意の形状の物品に水素を添加可能な水素添加装置４０に関する。実施の形態１と共通する部分については、説明を省略する。
【００５０】
図８は、実施の形態３の水素添加装置４０の断面図である。第２容器３２は、底の内側に円板状の磁性板３７を有する。磁性板３７は、たとえば鉄板である。第４容器２４は、底の外側に磁石２７を有する。磁石２７は、たとえば樹脂にフェライト粉を練り込んで着磁したマグネットシート片を、貫通孔２１の周囲に複数個配置したものである。第１容器３１の中に、取っ手を有する円筒形のかご４５が配置されている。
【００５１】
本実施の形態の水素添加装置４０の使用方法を説明する。第１容器３１を、底を下にして水平な面の上に置く。第１容器３１に、飲食物等の物品を入れたかご４５を入れる。飲食物は、たとえば和菓子、飴、果物等である。
【００５２】
実施の形態１と同様にして、水素発生器２０を準備する。準備の完了した水素発生器２０を磁石２７により第２容器３２の底に固定する。かご４５の上側に第２容器３２をかぶせる。第２容器３２の雌ねじと第１容器３１の雄ねじとを螺合して、封止材３５を変形させる。以上により、圧力容器３０の内部に飲食物等を入れたかご４５と水素発生器２０が収容される。
【００５３】
本実施の形態においても、クエン酸水溶液の滴下から、第１容器３１と第２容器３２との螺合完了までの作業を速やかに完了させることにより、発生した水素を無駄なく利用することが可能である。
【００５４】
本実施の形態によると、任意の形状の飲食物等に水素を添加できる水素添加装置４０を提供することができる。
【００５５】
水素発生器２０は、第２容器３２から取り外す際に使用するつまみ等を備えることが望ましい。第２容器３２が磁石２７を有し、第４容器２４が磁性板３７を有しても良い。第２容器３２と水素発生器２０とは、フック等の機構により着脱されても良い。
【００５６】
［実施の形態４］
本実施の形態は、水素が添加されていることを目視で確認できる水素添加装置４０に関する。実施の形態１と共通する部分については、説明を省略する。
【００５７】
図９は、実施の形態４の水素添加装置４０の断面図である。本実施の形態の水素添加装置４０は、透明な第１容器３１の下部に検出器５０を有する。
【００５８】
検出器５０は、水素を検知する試薬の水溶液を入れた薄い樹脂製の容器である。試薬は、たとえばメチレンブルーを主成分とする試薬である。メチレンブルーを主成分とする試薬は、水溶液中に水素が溶け込むと、青色から透明に変化する。
【００５９】
本実施の形態の水素添加装置４０の使用方法を説明する。実施の形態１と同様に、飲料容器４１および水素発生器２０を圧力容器３０の内部に収容する。圧力容器３０内部に、上部から水素ガスが充満する。
【００６０】
水素ガスが圧力容器３０の下部まで充満した場合には、検出器５０の内部の水溶液にも水素が溶け込む。その結果、検出器５０が青色から透明に変化する。第１容器３１は透明であるので、検出器５０の変化を目視で確認することができる。
【００６１】
本実施の形態によると、水素ガスが圧力容器３０の内部に充満したことを目視で確認可能な水素添加装置４０を提供することができる。
【００６２】
検出器５０は、水素を検知する試薬の水溶液を入れたＰＥＴ製の容器であることが望ましい。検出器５０は、飲料容器４１と同じ肉厚を有するＰＥＴ製の容器であることがさらに望ましい。このようにすることにより、飲料容器４１の内部に水素ガスが入ったことを目視で確認可能な水素添加装置４０を提供することができる。
【００６３】
さまざまな厚さのＰＥＴ製の容器を使用した検出器５０から、使用する飲料容器４１に近い厚さの検出器５０を選択して使用しても良い。たとえば、飲料容器４１を第１容器３１に入れた後に、選択した検出器５０を第１容器３１に入れる。このようにすることにより、使用する飲料容器４１の内部に水素ガスが入ったことを目視で確認可能な水素添加装置４０を提供することができる。
【００６４】
紙パック製の飲料容器４１に入った飲料に水素を添加する場合には、飲料容器４１と同様の材質の紙を用いた検出器５０を使用することが望ましい。この場合には、検出器５０の一部にガラス等の透明で水素を透過しにくい材質による窓を設けて、試薬の変色を確認できるようにする。
【００６５】
試薬は、ヨード系のうがい薬でも良い。このようにする場合には、検出器５０の色が褐色から透明に変化することにより、水素が溶け込んだことを確認できる。
【００６６】
［実施の形態５］
本実施の形態は、水素が添加されていることを目視で確認できる水素添加装置４０に関する。実施の形態４と共通する部分については、説明を省略する。
【００６７】
図１０は、実施の形態５の水素添加装置４０の断面図である。本実施の形態の水素添加装置４０は、透明な第１容器３１の内側面に沿って検出器５０を有する。
【００６８】
本実施の形態の水素添加装置４０の使用方法を説明する。実施の形態１と同様に、飲料容器４１および水素発生器２０を圧力容器３０の内部に収容する。圧力容器３０内部に、上部から水素ガスが充満する。
【００６９】
水素ガスが充満している部分では、検出器５０の内部の水溶液にも水素が溶け込む。その結果、検出器５０が青色から透明に変化する。第１容器３１は透明であるので、検出器５０の変化を目視で確認することができる。
【００７０】
本実施の形態によると、水素ガスが圧力容器３０の内部に充満していく様子を観察可能な水素添加装置４０を提供することができる。
【００７１】
［実施の形態６］
本実施の形態は、水素の添加に要する時間が経過したことを確認できる水素添加装置４０に関する。実施の形態１と共通する部分については、説明を省略する。
【００７２】
図１１は、実施の形態６の水素添加装置４０の外観である。本実施の形態の水素添加装置４０は、砂時計５６を固定した回転板５５を有する。回転板５５は、第１容器３１の側面に回転可能に固定されている。砂時計５６は、あらかじめ調べた水素水の作成に必要な時間を計測するように設定してある。
【００７３】
本実施の形態の水素添加装置４０の使用方法を説明する。実施の形態１と同様に、飲料容器４１および水素発生器２０を圧力容器３０の内部に収容する。回転板５５を回して、砂時計５６をひっくり返す。砂時計５６の砂が落ちきることにより、水素水が完成したことを知ることができる。
【００７４】
砂時計５６の代わりにタイマーを使用しても良い。飲料容器４１および水素発生器２０を圧力容器３０の内部に収容した後に、タイマーのスイッチを押して、水素水の作成に必要な時間を計測する。水素水の作成に必要な時間が経過した後に、タイマーから音が鳴るようにしても良い。
【００７５】
［実施の形態７］
本実施の形態は、熱を加えて水素を発生させる水素添加装置４０に関する。実施の形態１と共通する部分については、説明を省略する。
【００７６】
図１２は、実施の形態７の水素添加装置４０の蓋を開けた状態の外観図である。本実施の形態の水素添加装置４０は、圧力ＩＨ（Induction Heating）型の炊飯器である。炊飯器の内蓋は、水素発生器２０を固定可能である。
【００７７】
本実施の形態の水素添加装置４０の使用方法を説明する。クエン酸水溶液の代わりに水を使用して、実施の形態１と同様に水素発生器２０を準備する。内釜に所定量の米および水を入れる。水素発生器２０を内蓋に固定する。炊飯のスイッチを入れる。
【００７８】
炊飯時の熱により、（１）式の反応が促進されて水素ガスが炊飯器の内部に充満する。その結果、水素が添加されたごはんを炊くことができる。
【００７９】
本実施の形態においては、水素発生器２０を準備する際に、水素発生シート１０を濡らさなくても良い。炊飯時の水蒸気が貫通孔２１から水素発生器２０の内部に入り、（１）式に示す水素化マグネシウムと水との反応が起きる。
【００８０】
炊飯器の代わりに、圧力鍋の蓋の内側に水素発生器２０を固定しても良い。圧力鍋を用いて調理する任意の料理に水素を添加することができる。
【００８１】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【符号の説明】
【００８２】
１０  水素発生シート
１１  脱臭シート
１２  保水シート
１３  水素化マグネシウムシート
１５  液体容器
２０  水素発生器
２１  貫通孔
２３  第３容器
２４  第４容器
２６  保持部
２７  磁石
３０  圧力容器
３１  第１容器
３１１  第１開口部
３２  第２容器
３２１  第２開口部
３３  逆止弁
３４  安全弁
３５  封止材
３７  磁性板
４０  水素添加装置
４１  飲料容器
４５  かご
５０  検出器
５５  回転板
５６  砂時計
【図１】
2018008841.tif 000005
【図２】
2018008841.tif 000006
【図３】
2018008841.tif 000007
【図４】
2018008841.tif 000008
【図５】
2018008841.tif 000009
【図６】
2018008841.tif 000010
【図７】
2018008841.tif 000011
【図８】
2018008841.tif 000012
【図９】
2018008841.tif 000013
【図１０】
2018008841.tif 000014
【図１１】
2018008841.tif 000015
【図１２】
2018008841.tif 000016